(57)【要約】【課題】地上デジタルテレビジョン放送のＴＳを速やかに低コストで再配信する。【解決手段】  ステップＳ１で、地上デジタルテレビジョン放送信号からＴＳ１が抽出され、保存される。ステップＳ２で、ＴＳ３上にダミーパケットが配置される。ステップＳ３で、ＴＳ３上にＴＳ１のPCRパケットと有効なパケットが、並び順を乱すことなく、ＴＳ１における位置と同じＴＳ３における位置に配置される。ステップＳ４で、ＴＳ３上の空き位置に、ＴＳ２を構成するパケットが配置される。本発明は、例えば、地上デジタルテレビジョン放送用の再配信装置に適用できる。【選択図】図４
2005123986.tif 000002
【特許請求の範囲】
【請求項１】
デジタル放送のトランスポートストリームを再送信する送信装置において、
受信された第１のトランスポートストリームを記憶する記憶手段と、
前記第１のトランスポートストリームを包含できる変調方式で生成される第２のトランスポートストリームに対し、実際には送信されないダミーパケットを設定する設定手段と、
前記設定手段によって前記ダミーパケットが設定された前記第２のトランスポートストリームに対して、前記記憶手段によって記憶された前記第１のトランスポートストリームを構成しているパケットを配置する配置手段と、
前記配置手段によって前記第１のトランスポートストリームを構成しているパケットが配置された前記第２のトランスポートストリームの空き位置に対して、所定のパケットを配置して、前記第２のトランスポートストリームを生成する生成手段と
を含むことを特徴とする送信装置。
【請求項２】
前記生成手段は、前記配置手段によって前記第１のトランスポートストリームを構成しているパケットが配置された前記第２のトランスポートストリームの空き位置に対して、第３のトランスポートストリームを構成しているパケットを配置して、前記第２のトランスポートストリームを生成する
ことを特徴とする請求項１に記載の送信装置。
【請求項３】
前記生成手段は、前記配置手段によって前記第１のトランスポートストリームを構成しているパケットが配置された前記第２のトランスポートストリームの空き位置に対して、ヌルパケットを配置して、前記第２のトランスポートストリームを生成する
ことを特徴とする請求項１に記載の送信装置。
【請求項４】
前記記憶手段によって記憶されている前記第１のトランスポートストリームを再送信する際の変調方式、並びに前記ダミーパケットの数および位置の情報を含む変調情報を作成する作成手段を
さらに含み、
前記設定手段は、前記作成手段によって作成された前記変調情報に基づき、前記第１のトランスポートストリームを包含させて生成する前記第２のトランスポートストリームに対し、前記ダミーパケットを設定する
ことを特徴とする請求項１に記載の送信装置。
【請求項５】
デジタル放送のトランスポートストリームを再送信する送信方法において、
受信された第１のトランスポートストリームを包含できる変調方式で生成される第２のトランスポートストリームに対し、実際には送信されないダミーパケットを設定する設定ステップと、
前記設定ステップの処理で前記ダミーパケットが設定された前記第２のトランスポートストリームに対して、前記第１のトランスポートストリームを構成しているパケットを配置する配置ステップと、
前記配置ステップの処理で前記第１のトランスポートストリームを構成しているパケットが配置された前記第２のトランスポートストリームの空き位置に対して、所定のパケットを配置して、前記第２のトランスポートストリームを生成する生成ステップと
を含むことを特徴とする送信方法。
【請求項６】
デジタル放送のトランスポートストリームを再送信するためのプログラムであって、
受信された第１のトランスポートストリームを包含できる変調方式で生成される第２のトランスポートストリームに対し、実際には送信されないダミーパケットを設定する設定ステップと、
前記設定ステップの処理で前記ダミーパケットが設定された前記第２のトランスポートストリームに対して、前記第１のトランスポートストリームを構成しているパケットを配置する配置ステップと、
前記配置ステップの処理で前記第１のトランスポートストリームを構成しているパケットが配置された前記第２のトランスポートストリームの空き位置に対して、所定のパケットを配置して、前記第２のトランスポートストリームを生成する生成ステップと
を含む処理をコンピュータに実行させることを特徴とするプログラム。
【発明の詳細な説明】
【技術分野】
【０００１】
本発明は、送信装置および方法、並びにプログラムに関し、例えば、受信したデジタルテレビジョン放送のトランスポートストリームを再放送する場合に用いて好適な送信装置および方法、並びにプログラムに関する。
【背景技術】
【０００２】
日本国内におけるテレビジョン放送は、従来のアナログ地上波を利用するものに代わって、地上デジタル波を利用するもの（以下、地上デジタルテレビジョン放送と記述する）に移行される。
【０００３】
ところで、地上デジタルテレビジョン放送の放送信号として送信されるトランスポートストリーム（以下、ＴＳと記述する）は、所定のデジタル変調が施された後に送信されるが、この所定のデジタル変調の方式に起因して、送信しようとするＴＳを構成するパケットのうち、所定の位置に配置されたパケットは正確に送信されないということが知られている。
【０００４】
例えば、図１Ａに示すようなパケット１，２，３，…から構成されるＴＳに所定のデジタル変調を施して送信した場合、受信されるＴＳは、図１Ｂに示すように所定の位置（図１の場合、パケット３，６の位置）に配置されたパケットが受信できていないものとなる。
【０００５】
そこで、上述した事象の対策として、図２Ａに示すように、送信しようとするＴＳの正確に送信されないパケットの位置にダミーパケットを挿入してから所定のデジタル変調を施して、この変調方式やダミーパケットの数と位置の情報を含むTMCC(Transmission and Multiplexing Configuration Control)情報とともに送信するようになされている（例えば、非特許文献１参照）。
【０００６】
【非特許文献１】「地上デジタルテレビジョン放送の伝送方式」標準規格ARIB-STD-B３１ １．０版  平成１３年５月３１日策定
【発明の開示】
【発明が解決しようとする課題】
【０００７】
このようにＴＳにダミーパケットが挿入されて送信された場合、受信されるＴＳは、図２Ｂに示すように、正確に受信できていないパケット（以下、無効パケットと記述する）を含むものであるが、当該無効パケットは元々ダミーパケットであり、再生時においては、ＴＳとともに受信されるTMCC情報に基づいて無効パケットが排除されるので、ダミーパケットを含まない図２Ｃに示すようなＴＳが再生されることとなる。
【０００８】
ところで、例えば、特定の施設内におけるテレビジョン放送や、放送信号の測定等を目的として、地上デジタルテレビジョン放送のＴＳを再配信することがある。このような場合、再配信しようとするＴＳとともにTMCC情報も受信して、ＴＳとTMCC情報を再配信する方法があるが、受信したTMCC情報も含めて再配信する装置は高価であるという課題があった。
【０００９】
また、TMCC情報なしでＴＳを再配信する方法も存在するが、この方法では、受信した地上デジタルテレビジョン放送のＴＳをパケットに分解して分類し、再生タイミング等を示すタイムスタンプを書き換える等の再編成処理を行って新たにＴＳを生成する必要があるので、この再編成処理に時間がかかってしまうという課題があった。さらに、この方法は、タイムスタンプが暗号化されているようなＴＳには適用することができないという課題があった。
【００１０】
本発明はこのような状況に鑑みてなされたものであり、地上デジタルテレビジョン放送のＴＳを速やかに低コストで再配信できるようにすることを目的とする。
【課題を解決するための手段】
【００１１】
本発明の送信装置は、受信された第１のトランスポートストリームを記憶する記憶手段と、第１のトランスポートストリームを包含できる変調方式で生成される第２のトランスポートストリームに対し、実際には送信されないダミーパケットを設定する設定手段と、設定手段によってダミーパケットが設定された第２のトランスポートストリームに対して、記憶手段によって記憶された第１のトランスポートストリームを構成しているパケットを配置する配置手段と、配置手段によって第１のトランスポートストリームを構成しているパケットが配置された第２のトランスポートストリームの空き位置に対して、所定のパケットを配置して、第２のトランスポートストリームを生成する生成手段とを含むことを特徴とする。
【００１２】
前記生成手段は、配置手段によって第１のトランスポートストリームを構成しているパケットが配置された第２のトランスポートストリームの空き位置に対して、第３のトランスポートストリームを構成しているパケットを配置して、第２のトランスポートストリームを生成するようにすることができる。
【００１３】
前記生成手段は、配置手段によって第１のトランスポートストリームを構成しているパケットが配置された第２のトランスポートストリームの空き位置に対して、ヌルパケットを配置して、第２のトランスポートストリームを生成するようにすることができる。
【００１４】
本発明の送信装置は、記憶手段によって記憶されている第１のトランスポートストリームを再送信する際の変調方式、並びにダミーパケットの数および位置の情報を含む変調情報を作成する作成手段をさらに含むことができ、前記設定手段は、作成手段によって作成された変調情報に基づき、第１のトランスポートストリームを包含させて生成する第２のトランスポートストリームに対し、ダミーパケットを設定するようにすることができる。
【００１５】
本発明の送信方法は、受信された第１のトランスポートストリームを包含できる変調方式で生成される第２のトランスポートストリームに対し、実際には送信されないダミーパケットを設定する設定ステップと、設定ステップの処理でダミーパケットが設定された第２のトランスポートストリームに対して、第１のトランスポートストリームを構成しているパケットを配置する配置ステップと、配置ステップの処理で第１のトランスポートストリームを構成しているパケットが配置された第２のトランスポートストリームの空き位置に対して、所定のパケットを配置して、第２のトランスポートストリームを生成する生成ステップとを含むことを特徴とする。
【００１６】
本発明のプログラムは、受信された第１のトランスポートストリームを包含できる変調方式で生成される第２のトランスポートストリームに対し、実際には送信されないダミーパケットを設定する設定ステップと、設定ステップの処理でダミーパケットが設定された第２のトランスポートストリームに対して、第１のトランスポートストリームを構成しているパケットを配置する配置ステップと、配置ステップの処理で第１のトランスポートストリームを構成しているパケットが配置された第２のトランスポートストリームの空き位置に対して、所定のパケットを配置して、第２のトランスポートストリームを生成する生成ステップとを含む処理をコンピュータに実行させることを特徴とする。
【００１７】
本発明の受信装置および方法、並びにプログラムにおいては、受信された第１のトランスポートストリームを包含できる変調方式で生成される第２のトランスポートストリームに対し、実際には送信されないダミーパケットが設定され、ダミーパケットが設定された第２のトランスポートストリームに対して、第１のトランスポートストリームを構成しているパケットが配置される。さらに、第２のトランスポートストリームの空き位置に対して、所定のパケットが配置されて、第２のトランスポートストリームがされる。
【発明の効果】
【００１８】
本発明によれば、地上デジタルテレビジョン放送のＴＳを速やかに低コストで再配信することが可能となる。
【発明を実施するための最良の形態】
【００１９】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。したがって、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２０】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００２１】
本発明によれば、送信装置が提供される。この送信装置（図３の再配信装置）は、受信された第１のトランスポートストリーム（例えば、図３のＴＳ１）を記憶する記憶手段（例えば、図３のＴＳ記憶部２）と、第１のトランスポートストリームを包含できる変調方式で生成される第２のトランスポートストリーム（例えば、図３のＴＳ３）に対し、実際には送信されないダミーパケットを設定する設定手段（例えば、図４のステップＳ２の処理を行う図３のＴＳ合成部６）と、設定手段によってダミーパケットが設定された第２のトランスポートストリームに対して、記憶手段によって記憶された第１のトランスポートストリームを構成しているパケットを配置する配置手段（例えば、図４のステップＳ３の処理を行う図３のＴＳ合成部６）と、配置手段によって第１のトランスポートストリームを構成しているパケットが配置された第２のトランスポートストリームの空き位置に対して、所定のパケットを配置して、第２のトランスポートストリームを生成する生成手段（例えば、図４のステップＳ４の処理を行う図３のＴＳ合成部６）とを含む。
【００２２】
生成手段は、配置手段によって第１のトランスポートストリームを構成しているパケットが配置された第２のトランスポートストリームの空き位置に対して、第３のトランスポートストリーム（例えば、図３のＴＳ２）を構成しているパケットを配置して、第２のトランスポートストリームを生成するようにすることができる。
【００２３】
生成手段は、配置手段によって第１のトランスポートストリームを構成しているパケットが配置された第２のトランスポートストリームの空き位置に対して、ヌルパケットを配置して、第２のトランスポートストリームを生成するようにすることができる。
【００２４】
本発明の送信装置は、記憶手段によって記憶されている第１のトランスポートストリームを再送信する際の変調方式、並びにダミーパケットの数および位置の情報を含む変調情報（例えば、TMCC情報）を作成する作成手段（例えば、図３のTMCC情報生成部４）をさらに含むことができ、設定手段は、作成手段によって作成された変調情報に基づき、第１のトランスポートストリームを包含させて生成する第２のトランスポートストリームに対し、ダミーパケットを設定するようにすることができる。
【００２５】
本発明の送信方法は、受信された第１のトランスポートストリームを包含できる変調方式で生成される第２のトランスポートストリームに対し、実際には送信されないダミーパケットを設定する設定ステップ（例えば、図４のステップＳ２）と、設定ステップの処理でダミーパケットが設定された第２のトランスポートストリームに対して、第１のトランスポートストリームを構成しているパケットを配置する配置ステップ（例えば、図４のステップＳ３）と、配置ステップの処理で第１のトランスポートストリームを構成しているパケットが配置された第２のトランスポートストリームの空き位置に対して、所定のパケットを配置して、第２のトランスポートストリームを生成する生成ステップ（例えば、図４のステップＳ４）とを含む。
【００２６】
なお、本発明のプログラムの請求項に記載の構成要件と、発明の実施の形態における具体例との対応関係は、上述した本発明の受信方法のものと同様であるので、その記載は省略する。
【００２７】
以下、本発明の一実施の形態である、地上デジタルテレビジョン放送のＴＳを受信し、再配信する再配信装置の構成例について、図３を参照して説明する。この再配信装置は、地上デジタルテレビジョン放送を受信して得られるＴＳ（以下、ＴＳ１と記述する）と、新たに生成するＴＳ（以下、ＴＳ２と記述する）を多重化してＴＳ３を生成し、配信するシステムである。ＴＳ２を生成することなく、ＴＳ１とダミーのＴＳを多重化してＴＳ３を生成するようにしてもよい。
【００２８】
放送受信部１は、アンテナ（不図示）から入力される地上デジタルテレビジョン放送信号から、ユーザ等の選局に対応するＴＳ１を抽出して、ＴＳ記憶部２に出力する。ＴＳ記憶部２は、ハードディスク、半導体メモリ等の記録媒体を含み、放送受信部１から出力されるＴＳ１を記憶する。ＴＳ記憶部２によって記憶されたＴＳ１が再配信の対象とされるものである。
【００２９】
ＴＳ生成部３は、入力される映像データ、音声データ、EPG(Electronic Program Guide)データ、字幕データ等を素材として新たなＴＳ２を生成する。ＴＳ生成部３によって生成されるＴＳ２は、再配信のＴＳ１と多重化されて配信される。TMCC情報生成部４は、ＴＳ合成部６において生成されるＴＳ３の変調変調方式（QPSK（０セグメント）と６４QAM（１３セグメント）（ＴＳ２を多重化させない場合）、あるいはQPSK（１セグメント）と６４QAM（１２セグメント）等）やダミーパケットの数と位置の情報を含むTMCC情報を生成して、ダミーパケット処理部５に出力する。ダミーパケット処理部５は、TMCC情報生成部４によって生成されるTMCC情報に基づき、配信されて受信側で正確に受信できないパケットが存在してしまうという事象に対処するため、ダミーパケットを配置する位置を特定し、その位置情報をＴＳ合成部６に出力する。
【００３０】
ＴＳ生成部６は、生成するＴＳ３に対し、ダミーパケット処理部５からの位置情報に基づいてダミーパケットを配置し、次に、ＴＳ記憶部２に記憶されているＴＳ１を構成するパケットを読み出して配置し、最後に、ＴＳ生成部３によって生成されたＴＳ２を構成するパケットを配置することによってＴＳ３を完成させ、TMCC情報とともに変調部７に出力する。
【００３１】
変調部７は、ＴＳ合成部６によって生成されたＴＳ３とTMCC情報を所定の変調方式（例えば、OFDM(Orthogonal Frequency Division Multiplex)方式）に従って変調し、配信部８に出力する。配信部８は、変調部７によって変調されたＴＳ３とTMCC情報を配信する。
【００３２】
次に、当該再配信装置による再配信処理について、図４のフローチャートを参照して説明する。ステップＳ１において、放送受信部１は、ユーザ等の選局に対応し、アンテナから入力された地上デジタルテレビジョン放送信号からＴＳ１を抽出する。ＴＳ記憶部２は、放送受信部１によって抽出されたＴＳ１を保存する。一方、ＴＳ生成部３は、入力される映像データ、音声データ、EPGデータ、字幕データ等を素材として新たなＴＳ２を生成する。また、TMCC情報生成部４は、ＴＳ合成部６において生成するＴＳ３に対応するTMCC情報を生成して、ダミーパケット処理部５に出力する。
【００３３】
ステップＳ２において、ダミーパケット処理部５は、TMCC情報に基づきダミーパケットを配置する位置を特定し、その位置情報をＴＳ合成部６に出力する。ＴＳ生成部６は、例えば、図５Ａに示すように、生成するＴＳ３に対し、ダミーパケット処理部５からの位置情報に基づいてダミーパケット（同図において斜線で示される）を配置する。
【００３４】
ステップＳ３において、ＴＳ生成部６は、ＴＳ記憶部２に記憶されている、例えば、図５Ｂに示すようなタイムスタンプを含むPCR(Program Clock Reference)パケット、正確に受信されていないダミーパケット、データとして有効なパケット（Ｓ１０，Ｓ１１等）、データとしては無効なヌルパケット等から構成されるＴＳ１を読み出し、ダミーパケットとヌルパケットを排除して、図５Ｃに示すように、PCRパケットと有効なパケットを、それらの並び順を乱すことなく、ＴＳ１における位置と同じＴＳ３における位置に配置する。
【００３５】
なお、ダミーパケットとヌルパケットは、ＴＳ１のTMCC情報がなくても判別できるものとする。また、ＴＳ１における位置と同じＴＳ３における位置に、既にダミーパケットが配置されている場合、そのダミーパケットを避けてオフセットして配置する。この場合、PCRパケットに含まれるタイムスタンプもオフセットした分だけ微調整する。
【００３６】
ステップＳ４において、ＴＳ合成部６は、ダミーパケット、ならびにＴＳ１のPCRパケットおよびデータとして有効なパケットを配置したＴＳ３（図５Ｃの状態）の空き位置に対し、ＴＳ生成部３によって生成されたＴＳ２を構成するパケット（図５ＤにおいてＴＳ２と記載）を配置することによって、図５Ｅに示すＴＳ３を完成させる。
【００３７】
あるいは、ステップＳ４において、ＴＳ合成部６は、ダミーパケット、ならびにＴＳ１のPCRパケットおよびデータとして有効なパケットを配置したＴＳ３（図５Ｃの状態）の空き位置に対し、ヌルパケット（図５ＥにおいてNullと記載）を配置することによって、図５Ｅに示すＴＳ３を完成させる。この場合、変調方式をQPSK（０セグメント）と６４QAM（１３セグメント）と定めていることが望ましい。
【００３８】
ステップＳ５において、変調部７は、ＴＳ合成部６によって生成されたＴＳ３とTMCC情報を所定の変調方式に従って変調し、配信部８に出力する。ステップＳ６において、配信部８は、変調部７によって変調されたＴＳ３とTMCC情報を配信する。以上で、再配信処理は終了される。
【００３９】
以上説明したように、本発明を適用した再配信装置によれば、地上デジタルテレビジョン放送信号から抽出したＴＳ１を、放送されたTMCC情報を用いることなく、ＴＳ３に含めて配信することが可能となる。また、地上デジタルテレビジョン放送のTCMM情報を用いないので、高価な地上デジタルテレビジョン放送専用の機材を必要としない。
【００４０】
また、当該再配信装置によれば、配信されるＴＳ３において、ＴＳ１を構成するPCRパケットとデータとして有効なパケットの並び順や時間関係は変更されないので、ＴＳ１にスクランブルが施されている場合においても適用できる。また、ＴＳ１のフォーマットに拘わらず、すなわち、地上デジタルテレビジョン放送のＴＳだけではなく、ＢＣディジタル放送、ＣＳ１１０°放送、DVB(Digital Video Broadcasting)のＴＳを再配信する場合にも適用することができる。
【００４１】
なお、本明細書において、本発明のプログラムを記述するステップは、記載された順序に従って時系列的に行われる処理はもちろん、必ずしも時系列的に処理されなくとも、並列的あるいは個別に実行される処理をも含むものである。
【図面の簡単な説明】
【００４２】
【図１】デジタル変調の特性を説明するための図である。
【図２】デジタル変調の特性に対する対処としてダミーパケットを設けることを説明する図である。
【図３】本発明の一実施の形態である再配信装置の構成例を示すブロック図である。
【図４】再配信装置による再配信処理を説明するフローチャートである。
【図５】再配信装置による再配信処理を説明するための図である。
【符号の説明】
【００４３】
１  放送受信部，  ２  ＴＳ記憶部，  ３  ＴＳ生成部，  ４  TMCC情報生成部，  ５  ダミーパケット生成部，  ６  ＴＳ合成部，  ７  変調部，  ８  配信部
【図１】
2005123986.tif 000003
【図２】
2005123986.tif 000004
【図３】
2005123986.tif 000005
【図４】
2005123986.tif 000006
【図５】
2005123986.tif 000007